(57)【要約】【課題】  避難が必要な災害が発生した時にコンビニエンスストア等にある公共性の高い画像形成装置から、そのコンビニエンスストア等がある場所からの最適な避難場所や避難経路等の情報を印刷出力することを可能にする避難情報報知システムおよび避難情報報知方法を提供する。【解決手段】  災害情報報知システム１０ではサーバ２００と店舗Ａ４００内の画像形成装置４０３とが店舗ネットワーク３００で接続され、サーバ２００は、災害情報認識機関１００から災害情報を受信し、画像形成装置４０３の設置場所を記憶するデータベース２０２を参照して制御部２０１が画像形成装置４０３に送る最適な避難情報を作成して、サーバ２００からの情報を受信した画像形成装置４０３は受信した内容を印刷出力する。【選択図】  図１
2007220006.tif 000002
【特許請求の範囲】
【請求項１】
災害情報を認識する災害情報認識機関と、所定の場所にそれぞれ設置された複数の画像形成装置と、前記複数の画像形成装置にネットワーク接続された避難情報報知サーバとを具備する避難情報報知システムにおいて、
前記避難情報報知サーバは、
前記災害情報認識機関から災害情報を受信する災害情報受信手段と、
前記複数の画像形成装置の設置場所をそれぞれ記憶する設置場所記憶手段と、
前記設置場所記憶手段に記憶された前記画像形成装置の設置場所に基づき前記災害情報受信手段で受信した災害に対処して避難するための最適な避難情報をそれぞれ作成する避難情報作成手段と、
前記避難情報作成手段により作成した避難情報を前記複数の画像形成装置店舗に対してそれぞれ送信する避難情報送信手段と
を具備し、
前記画像形成装置は、
前記避難情報送信手段により送信された避難情報を受信する避難情報受信手段と、
前記避難情報受信手段で受信した避難情報を印刷出力する印刷制御手段と
を具備することを特徴とする避難情報報知システム。
【請求項２】
前記避難情報作成手段は、
前記画像形成装置の設置場所から前記災害に対処して避難するための最適な避難場所と最適な避難経路との情報を前記避難情報として作成する
ことを特徴とする請求項１記載の避難情報報知システム。
【請求項３】
前記避難情報作成手段は、
前記画像形成装置の設置場所に基づき前記災害に対処して避難することが必要な場合に前記避難情報を作成する
ことを特徴とする請求項１または２記載の避難情報報知システム。
【請求項４】
前記避難情報報知サーバは、
前記避難情報作成手段による前記避難情報の送信に際して前記画像形成装置に対して該避難情報の印刷出力に係わる課金を解除する課金解除信号を送信する課金解除信号送信手段
を更に具備し、
前記画像形成装置は、
前記課金解除信号送信手段による課金解除信号の受信により前記避難情報の印刷出力に係わる課金を解除する課金解除手段
を更に具備することを特徴とする請求項１乃至３のいずれかに記載の避難情報報知システム。
【請求項５】
災害情報を認識する災害情報認識機関と、所定の場所にそれぞれ設置された複数の画像形成装置と、前記複数の画像形成装置にネットワーク接続された避難情報報知サーバとを具備する避難情報報知システムで避難情報を報知する避難情報報知方法において、
前記避難情報報知サーバは、
前記複数の画像形成装置の設置場所を設置場所記憶手段によりそれぞれ記憶し、
前記災害情報認識機関から災害情報を災害情報受信手段により受信し、
前記設置場所記憶手段に記憶された前記画像形成装置の設置場所に基づき前記災害情報受信手段で受信した災害に対処して避難するための最適な避難情報をそれぞれ避難情報作成手段により作成し、
前記避難情報作成手段により作成した避難情報を前記複数の画像形成装置店舗に対してそれぞれ避難情報送信手段により送信し、
前記画像形成装置は、
前記避難情報送信手段により送信された避難情報を避難情報受信手段により受信し、
前記避難情報受信手段で受信した避難情報を印刷制御手段により印刷出力する
ことを特徴とする避難情報報知方法。
【発明の詳細な説明】
【技術分野】
【０００１】
本発明は、避難情報報知システムおよび避難情報報知方法に関し、特に、避難が必要な災害が発生した時にコンビニエンスストア等にある公共性の高い画像形成装置から、そのコンビニエンスストア等がある場所からの最適な避難場所や避難経路等の情報を印刷出力することを可能にする避難情報報知システムおよび避難情報報知方法に関する。
【背景技術】
【０００２】
従来より、火災や地震などの災害が発生したときの防災対策として、地域単位で避難場所が決められており、万一災害が発生した場合には、その避難場所に避難することになっている。
【０００３】
しかし、通学、通勤途中や、旅先では、不慣れな場所が多く、移動中の各場所に応じた避難場所や避難経路を確実に把握することは難しいと言える。
【０００４】
また、避難場所を把握している場合であっても、災害の状況によっては、把握している避難場所への経路が発生した災害によって絶たれて、その状況においては別の避難場所が最適な避難場所となることも考えられる。
【０００５】
災害等の緊急事態に対応する為の技術としては、特許文献１に、定点観測カメラにより撮影した映像に基づいて非常通報位置の近傍の状況を把握することができる緊急時対応支援方法及びサーバが提案されている。
【０００６】
また、特許文献２には、無線通信を利用して社内の電子表示をリアルタイムに表示して、緊急度の高い広告情報を通知することができる広告配信システムが提案されている。
【特許文献１】特開２００５−７８３０２号公報
【特許文献２】特開２００４−３４７９５２号公報
【発明の開示】
【発明が解決しようとする課題】
【０００７】
しかし、特許文献１の技術では、緊急事態の対応者に対しては通報位置近傍の状況に関する情報を提供するものであるものの、避難しようとする者に対して避難情報を提供するものではなかった。
【０００８】
そして、特許文献２では、緊急性の高い情報を通知することができるが、野外など電子表示機能がない状況では通知することができなかった。
【０００９】
そこで、この発明は、避難が必要な災害が発生した時に野外にいる人が最適な避難場所を把握して避難することができるように、コンビニエンスストア等にある公共性の高い画像形成装置から、そのコンビニエンスストア等がある場所からの最適な避難場所や避難経路等の情報を印刷出力することを可能にする避難情報報知システムおよび避難情報報知方法を提供することを目的とする。
【課題を解決するための手段】
【００１０】
上記の目的を達成する為、請求項１に記載された発明は、災害情報を認識する災害情報認識機関と、所定の場所にそれぞれ設置された複数の画像形成装置と、前記複数の画像形成装置にネットワーク接続された避難情報報知サーバとを具備する避難情報報知システムにおいて、前記避難情報報知サーバは、前記災害情報認識機関から災害情報を受信する災害情報受信手段と、前記複数の画像形成装置の設置場所をそれぞれ記憶する設置場所記憶手段と、前記設置場所記憶手段に記憶された前記画像形成装置の設置場所に基づき前記災害情報受信手段で受信した災害に対処して避難するための最適な避難情報をそれぞれ作成する避難情報作成手段と、前記避難情報作成手段により作成した避難情報を前記複数の画像形成装置店舗に対してそれぞれ送信する避難情報送信手段とを具備し、前記画像形成装置は、前記避難情報送信手段により送信された避難情報を受信する避難情報受信手段と、前記避難情報受信手段で受信した避難情報を印刷出力する印刷制御手段とを具備することを特徴とする。
【００１１】
また、請求項２の発明は請求項１の発明において、前記避難情報作成手段は、前記画像形成装置の設置場所から前記災害に対処して避難するための最適な避難場所と最適な避難経路との情報を前記避難情報として作成することを特徴とする。
【００１２】
また、請求項３の発明は、請求項１または２の発明において、前記避難情報作成手段は、前記画像形成装置の設置場所に基づき前記災害に対処して避難することが必要な場合に前記避難情報を作成することを特徴とする。
【００１３】
また、請求項４の発明は、請求項１乃至３のいずれかの発明において、前記避難情報報知サーバは、前記避難情報作成手段による前記避難情報の送信に際して前記画像形成装置に対して該避難情報の印刷出力に係わる課金を解除する課金解除信号を送信する課金解除信号送信手段を更に具備し、前記画像形成装置は、前記課金解除信号送信手段による課金解除信号の受信により前記避難情報の印刷出力に係わる課金を解除する課金解除手段を更に具備することを特徴とする。
【００１４】
また、請求項５の発明は、災害情報を認識する災害情報認識機関と、所定の場所にそれぞれ設置された複数の画像形成装置と、前記複数の画像形成装置にネットワーク接続された避難情報報知サーバとを具備する避難情報報知システムで避難情報を報知する避難情報報知方法において、前記避難情報報知サーバは、前記複数の画像形成装置の設置場所を設置場所記憶手段によりそれぞれ記憶し、前記災害情報認識機関から災害情報を災害情報受信手段により受信し、前記設置場所記憶手段に記憶された前記画像形成装置の設置場所に基づき前記災害情報受信手段で受信した災害に対処して避難するための最適な避難情報をそれぞれ避難情報作成手段により作成し、前記避難情報作成手段により作成した避難情報を前記複数の画像形成装置店舗に対してそれぞれ避難情報送信手段により送信し、前記画像形成装置は、前記避難情報送信手段により送信された避難情報を避難情報受信手段により受信し、前記避難情報受信手段で受信した避難情報を印刷制御手段により印刷出力することを特徴とする。
【発明の効果】
【００１５】
本発明の避難情報報知システムおよび避難情報報知方法によれば、災害情報を認識する災害情報認識機関と、所定の場所にそれぞれ設置された複数の画像形成装置と、複数の画像形成装置にネットワーク接続された避難情報報知サーバとを具備する避難情報報知システムにおいて、避難情報報知サーバは、災害情報認識機関から災害情報を受信する災害情報受信手段と、複数の画像形成装置の設置場所をそれぞれ記憶する設置場所記憶手段と、設置場所記憶手段に記憶された画像形成装置の設置場所に基づき災害情報受信手段で受信した災害に対処して避難するための最適な避難情報をそれぞれ作成する避難情報作成手段と、避難情報作成手段により作成した避難情報を複数の画像形成装置店舗に対してそれぞれ送信する避難情報送信手段とを具備し、画像形成装置は、避難情報送信手段により送信された避難情報を受信する避難情報受信手段と、避難情報受信手段で受信した避難情報を印刷出力する印刷制御手段とを具備するように構成したので、避難が必要な災害が発生した時にコンビニエンスストア等にある公共性の高い画像形成装置から、そのコンビニエンスストア等がある場所からの最適な避難場所や避難経路等の情報を印刷出力することができるという効果を奏する。
【発明を実施するための最良の形態】
【００１６】
以下、本発明に係わる避難情報報知システムおよび避難情報報知方法の実施例について添付図面を参照して詳細に説明する。
【００１７】
図１は、本発明に係わる災害情報報知システム１０の概略を示すシステム構成図である。
【００１８】
災害情報報知システム１０は、災害情報認識機関１００、サーバ２００、店舗ネットワーク３００、店舗Ａ４００、店舗Ｂ５００、店舗Ｃ６００、店舗Ｄ７００、店舗Ｅ８００・・・により構成される。
【００１９】
災害情報認識機関１００は、災害発生を認識してサーバ２００に災害情報を送信する機関であり、消防庁、気象庁等を想定している。
【００２０】
サーバ２００は、制御部２１０、データベース２０２、災害情報受信部２０３、災害情報送信部２０４を備えており、災害情報認識機関１００より災害情報を災害情報受信部２０３で受信すると、受信した災害情報の災害に対処して避難することが必要な場合には、店舗ネットワーク３００に接続されている各店舗に対して、発生した災害に関する災害情報と各店舗が位置する場所から避難する場合の最適な避難場所と最適な避難経路との情報を制御部２１０で作成して、災害情報送信部２０４より送信する。
【００２１】
また、サーバ２００内の制御部２０１は、データベース２０２内の情報と災害情報認識機関１００より送信された災害情報に基づいて、当該災害に対処して避難が必要な場合には、各店舗に送信する情報の作成等を行う。
【００２２】
サーバ２００内のデータベース２０２は、店舗ネットワーク３００に接続されているコンビニエンスストアである各店舗の住所、各店舗が掲載された地図と、地図内における避難場所の情報や推奨される避難経路の情報等を蓄える。
【００２３】
店舗ネットワーク３００には、サーバ２００と各店舗とが接続される。
【００２４】
各店舗には同じ情報端末、同じ課金システム、同じ画像形成装置が備えられており、店舗Ａ４００には、情報端末４０１、課金システム４０２、画像形成装置４０３が備えられ、店舗Ｂ５００には、情報端末５０１、課金システム５０２、画像形成装置５０３が備えられ、店舗Ｃ６００には、情報端末６０１、課金システム６０２、画像形成装置６０３が備えられ、店舗Ｄ７００には、情報端末７０１、課金システム７０２、画像形成装置７０３が備えられ、店舗Ｅ８００には、情報端末８０１、課金システム８０２、画像形成装置８０３が備えられている。
【００２５】
なお、各店舗に備えられている情報端末４０１、５０１、６０１、７０１、８０１と課金システム４０２、５０２、６０２、７０２はそれぞれ画像形成装置４０３、５０３、６０３、７０３、８０３内に設置するようにしてもよい。
【００２６】
そして、店舗ネットワーク３００は、複数の店舗である店舗Ａ４００、店舗Ｂ５００、店舗Ｃ６００、店舗Ｄ７００、店舗Ｅ８００・・・と接続されており、店舗ネットワーク３００と店舗との接続は、店舗ネットワーク３００がそれぞれの店舗内の情報端末４０１、５０１、６０１、７０１、８０１・・・と接続された状態となっている。
【００２７】
各店舗に備えられている情報端末、課金システム、画像形成装置について、各店舗を代表して店舗Ｅ８００を用いて説明すると、店舗Ｅ８００の情報端末８０１は、サーバ２００から送信された災害情報、最適避難場所、最適避難経路の情報を受信する。
【００２８】
また、課金システム８０２は、通常、店舗Ｅ８００に設置された画像形成装置８０３で使用される印刷に対して有料の課金処理を行うが、災害が発生してサーバ２００より災害情報が送信された時には、有料の課金システム８０２が解除される場合があり、その場合には画像形成装置８０３では無料で印刷が行われる。
【００２９】
また、画像形成装置８０３は複写等の各種機能を備えており、災害が発生していない通常の使用状態では、課金システム８０２によって課金処理が行われ、有料で当該複写等の各種機能が使用される。
【００３０】
なお、各店舗に備えられている情報端末、課金システム、画像形成装置はすべて同じ機能を持って、同じ構造を有する。
【００３１】
このような災害情報報知システム１０では、災害発生時には、災害情報認識機関１００によって認識された災害情報がサーバ２００に送られ、サーバ２００内の制御部２０１は、送られた災害情報を判断して避難が必要な災害であった場合には、店舗に情報を送信する準備として、送られた災害情報から災害発生地域に近い場所を強制出力地域、災害発生場所からある程度離れた場所を選択出力地域、災害発生場所から遠く離れた場所を無関係地域と設定する。
【００３２】
そして、サーバ２００内の制御部２０１は、データベース２０２の店舗の情報と送られた災害情報とに基づいて、各店舗に応じた災害情報、最適避難場所、最適避難経路の情報を店舗毎に作成し、各々の店舗に送信する。
【００３３】
強制出力地域内の各店舗では（代表して店舗Ａ４００で説明する）、サーバ２００より災害情報等の通知を受信すると、画像形成装置４０３の報知ランプが点灯され、課金システム４０２が解除され、画像形成装置４０３から強制的に、災害情報、最適避難場所、最適避難経路の情報がプリントされた紙が排紙され続ける。
【００３４】
また、選択出力地域内の各店舗では（代表して店舗Ｃ６００で説明する）、サーバ２００より災害情報等の通知を受信すると、画像形成装置６０３に災害情報を受信した旨を報知する報知ランプ６０４を点灯させ、画像形成装置６０３のディスプレイ６０５上に、プリントさせる災害に関する情報を選択することができるボタンを表示させて、店舗Ｃ６００内にいる災害情報を入手したい人からボタンが選択されることにより、課金システム６０２が解除されて、選択された内容の災害に関する情報が紙にプリントされて排紙される。
【００３５】
また、無関係地域内の各店舗では（代表して店舗Ｄ７００で説明する）、避難が必要な災害が発生した時においても、サーバ２００より災害情報等の通知を受けず、通常通り、課金システム７０２による処理によって画像形成装置７０３が使用される。
【００３６】
次に、災害発生場所と強制出力地域、選択出力地域、無関係地域との位置関係について図２を参照して説明する。
【００３７】
図２は、災害発生場所と強制出力地域、選択出力地域、無関係地域との位置関係について説明した地図である。
【００３８】
図２の地図上には、災害が発生した災害発生場所が記されている。
【００３９】
そして、災害発生場所から一定の距離内に強制出力地域（参照番号２１０）が設定され、店舗Ａ４００、店舗５００がその強制出力地域内に存在する。
【００４０】
また、強制出力地域から一定の距離内に選択出力地域（参照番号２２０）が設定され、店舗Ｃ６００がその選択出力地域内に存在する。
【００４１】
また、災害発生場所からの距離が選択出力地域より遠い場所は無関係出力地域（参照番号２３０）と設定され、店舗Ｄ７００がその無関係地域内に存在する。
【００４２】
このように、各地域は、災害発生場所からの距離に応じて設定されるが、各地域の設定は、道路状況、地形等を考慮して、災害発生場所からの一定の距離である同心円状に区分けして設定せずに複雑な形をした区分けをしてもよい。
【００４３】
また、設定されるそれぞれの地域の特徴に合わせて、発生した災害の種類や予想される被害の深刻さ等を考慮して各地域の設定が行われるようにしてもよい。
【００４４】
次に、避難が必要な災害が発生した時に選択出力地域内の店舗内の画像形成装置に表示される災害に関する情報を出力させるボタンについて図３を参照して説明を行う。
【００４５】
図３は、避難が必要な災害が発生した時に選択出力地域内に設定された店舗Ｃ６００の画像形成装置６０３のディスプレイ６０５を強調して表示した画像形成装置６０３を示す模式図である。
【００４６】
画像形成装置６０３には、報知ランプ６０４、ディスプレイ６０５、排紙トレイ６０６が備わっている（全ての店舗に備えられている画像形成装置の構造は全て同じであり、報知ランプ、ディスプレイ、排紙トレイは他の店舗内の画像形成装置にも同様に備えられる。）。
【００４７】
報知ランプ６０４は、サーバ２００から災害情報が送られてくると作動するようになっており、報知ランプ６０４が作動することで、店舗Ｃ６００内にいる人々に画像形成装置６０３が災害情報を受信したことを報知することができる。
【００４８】
ディスプレイ６０５には、画像形成装置６０３の操作に関する情報が表示され、サーバ２００から災害に関する情報（災害情報、最適避難場所、最適避難経路）が送られると、画像形成装置６０３は選択出力地域にあるので、通常の操作の為のボタン（参照番号６０９）を表示させたまま災害情報出力ボタン６０７と避難経路等出力ボタン６０８とを追加表示する。
【００４９】
災害情報出力ボタン６０７が押下されると、サーバ２００より送られた最適避難場所、最適避難経路については除外された災害情報だけが画像形成装置６０３からプリントされる。
【００５０】
また、避難経路等出力ボタン６０８が押下されると、サーバ２００より送られた災害情報と最適避難場所と最適避難場所に避難する最適避難経路とが画像形成装置６０３よりプリントされる。
【００５１】
そして、排紙トレイ６０６は、画像形成装置６０３からプリントされた用紙をストックする。
【００５２】
このように、避難が必要な災害が発生した時に選択出力地域内に設定された店舗では、サーバ２００より災害に関する情報を受信すると、店舗内の画像形成装置６０３において報知ランプ６０４が点灯して、画像形成装置６０３のディスプレイ６０５上に災害情報出力ボタン６０７と避難経路等出力ボタン６０８とが表示される。
【００５３】
また、報知ランプ６０４が点灯して災害情報出力ボタン６０７と避難経路等出力ボタン６０８とが表示された場合でも、画像形成装置６０３で通常の複写等の動作が行われるように、複写等の通常の操作の為のボタン（参照番号６０９）も表示されたままであり、通常の複写等の動作も行われる状態となっている。
【００５４】
ただし、報知ランプが点灯した状態で、災害情報出力ボタン６０７或いは避難経路等出力ボタン６０８が押下された場合には、通常の動作より優先して押下されたボタンの内容の出力が行われる。
【００５５】
次に、避難が必要な災害が発生した時に強制出力地域内と設定された店舗の１つである店舗Ａ４００の画像形成装置４０３より強制出力される出力内容について図４を参照して説明を行う。
【００５６】
図４は、避難が必要な災害が発生した時に強制出力地域内と設定された店舗Ａ４００の画像形成装置４０３より強制出力される出力内容について示した模式図である。
【００５７】
災害が発生すると、災害情報認識機関１００からサーバ２００に災害情報が送信され、サーバ２００で、避難が必要な災害であると判断されると、災害発生場所に基づいて強制出力地域と選択出力地域と無関係地域とが設定され、そして、各店舗に送られるデータが作成され、強制出力地域内に位置する店舗には、課金システムを解除して送信した内容を強制的にプリントして排紙し続ける命令と災害に関する情報（災害情報、最適避難場所、最適避難経路）とが送信される。
【００５８】
サーバ２００で設定された強制出力地域内に位置する店舗Ａ４００では、サーバ２００より、課金システムを解除して災害に関する情報を強制的にプリントし続ける命令と災害に関する情報（災害情報、最適避難場所、最適避難経路）とを受信する。
【００５９】
そして、店舗Ａ４００の画像形成装置４０３は、画像形成装置４０３に備えられた報知ランプを点灯させて、課金システム４０２を解除し、図４に示す、災害情報、最適避難場所、最適避難経路とが記された内容をプリントして排紙し続ける。
【００６０】
プリントされる内容は、図４に示すように、発生した災害の内容が把握できる災害情報、店舗Ａ４００が位置する場所から避難を実行する場合の最適な避難場所、店舗Ａ４００から避難場所に行く為の最適な避難経路が記されている。
【００６１】
店舗Ａ４００内にいる人々は、画像形成装置４０３の報知ランプ６０４の点灯と災害に関する情報が排紙され続けていることを視認して、排紙された災害に関する情報（災害情報、最適避難場所、最適避難経路）を取って読むことで、自分たちが現在いる店舗Ａ４００から最適な避難場所へ行く為の最適な避難経路を知ることが可能となる。
【００６２】
次に、避難が必要な災害が発生した時にサーバ２００より強制出力地域に設定された店舗の１つである店舗Ｂ５００の画像形成装置５０３より強制出力されるプリント内容について図５を参照して説明を行う。
【００６３】
図５は、避難が必要な災害が発生した時にサーバ２００より強制出力地域に設定された店舗の１つである店舗Ｂ５００の画像形成装置５０３より強制出力されるプリント内容について示した模式図である。
【００６４】
店舗Ｂ５００においても、サーバ２００より、災害に関する情報（災害情報、最適避難場所、最適避難経路）と課金システムを解除して送信した災害に関する情報を強制的にプリントして排紙し続ける命令とを受信し、報知ランプを点灯させ、課金システムを解除して、災害に関する情報（災害情報、最適避難場所、最適避難経路）が記された内容がプリントされ排紙し続けられる。
【００６５】
図５に示すように、店舗Ｂ５００でプリントされる内容を見ると、店舗Ｂ５００に最も近い避難場所は避難場所Ｙ５１０であるが、災害発生場所５１１を考慮すると、店舗Ｂ５００の場所から避難場所Ｙ５１０に行くには災害発生場所５１１を通過しなければならないから、店舗Ｂ５００の場所からは避難場所Ｙ５１０が最適な避難場所とは言えない。
【００６６】
よって、サーバ２００から送信される最適な避難場所と最適な避難経路は、発生した災害に応じた各店舗からの最適な避難場所と最適な避難経路とが送信される。
【００６７】
図５に示すように、店舗Ｂ５００で排紙し続けられる内容からは、店舗Ｂ５００の場所からは、最適な避難場所は避難場所Ｚ５１２であり、最適な避難経路は店舗Ｃ６００を経由して避難場所Ｚ５１２に行くのが望ましいことが認識することができる。
【００６８】
次に、避難が必要な災害が発生した時にサーバ２００より選択出力地域内に設定された店舗である店舗Ｃ６００の画像形成装置６０３より出力されるプリント内容について図６を参照して説明を行う。
【００６９】
図６は、避難が必要な災害が発生した時に選択出力地域に設定された店舗である店舗Ｃ６００の画像形成装置６０３、災害情報出力ボタン６０７が押下された結果出力されるプリント内容について示した模式図である。
【００７０】
災害が発生すると、災害情報認識機関１００からサーバ２００に災害情報が送付され、サーバ２００で、避難が必要な災害であると判断されると、災害発生場所に基づいて強制出力地域と選択出力地域と無関係地域とが設定され、そして、各店舗に送られるデータが作成され、選択出力地域内に位置する店舗には、災害に関する情報（災害情報、最適避難場所、最適避難経路）が送信される。
【００７１】
選択出力地域内に設定された店舗Ｃ６００では、サーバ２００より災害に関する情報（災害情報、最適避難場所、最適避難経路）を受信する。
【００７２】
そして、店舗Ｃ６００の画像形成装置６０３は、報知ランプ６０４を点灯させてディスプレイ６０５上に災害情報出力ボタン６０７と避難経路等出力ボタン６０８とを追加表示させる。
【００７３】
店舗Ｃ６００内にいる人々は、画像形成装置６０３の報知ランプ６０４を視認して、災害情報が画像形成装置６０３が受信したことを認識する。
【００７４】
そして、ディスプレイ６０５より災害情報出力ボタン６０７の押下が行われると、図６に示すように災害情報がプリントされて排紙される。
【００７５】
また、避難経路等出力ボタン６０８が押下されると、図４を参照して店舗Ａ４００の場合で説明したように発生した災害の災害情報と店舗Ｃ６００からの最適な避難場所とその最適避難場所に行くための最適避難経路とが記された内容がプリントされて排紙される。
【００７６】
次に、避難が必要な災害が発生した時にサーバ２００で行われる処理について図７を参照して説明を行う。
【００７７】
図７は、避難が必要な災害が発生した時にサーバ２００で行われる処理について示したフローチャートである。
【００７８】
サーバ２００は、災害が発生した時に災害情報認識機関１００より送信された災害情報を災害情報受信部２０３で受信し（ステップ７０１でＹＥＳ）、受信した災害情報の内容が避難が必要な災害である場合には（ステップ７０２でＹＥＳ）、受信した内容に基づいて、災害発生場所を中心とした周辺の地域に対して、強制出力地域、選択出力地域、無関係地域の設定を行う（ステップ７０３）。
【００７９】
強制出力地域内の店舗では、画像形成装置４０３の課金システム４０２が解除され、災害に関する情報が画像形成装置４０３から強制的にプリントされ排紙され続ける。
【００８０】
選択出力地域内の店舗では、災害に関する情報を出力するかしないかそして出力する災害の情報の種類は、店舗内の人の選択により行われる。
【００８１】
無関係地域内の店舗では、災害に関する情報はサーバ２００から送信されず、通常の課金システムによる画像形成装置７０３の動作が行われる。
【００８２】
そして、サーバ２００は、制御部２０１が、データベース２０２に登録されている店舗の住所と受信した災害情報とから、各店舗からの最適な避難場所と最適な避難経路とをそれぞれ算出する（ステップ７０４）。
【００８３】
そして、制御部２０１は、強制出力地域内の店舗に対しては、課金システムを解除して受信した内容をプリントして排紙し続ける命令と災害に関する情報（災害情報、最適避難場所、最適避難経路）とを災害情報送信部２０４より送信する（ステップ７０５）。
【００８４】
また、制御部２０１は、選択出力地域内の店舗に対しては、災害に関する情報（災害情報、最適避難場所、最適避難経路）を災害情報送信部２０４より送信する（ステップ７０５）。
【００８５】
また、ステップ７０１で災害情報を受信した後に、受信した災害情報の内容が避難が不必要な災害である場合には（ステップ７０２でＮＯ）、災害に関する情報（災害情報、最適避難場所、最適避難経路）の送信は行わない。
【００８６】
このように処理されることにより、避難が必要な災害が発生した時には、サーバ２００が、データベース２０２に登録されていて、情報が必要な一部の店舗に対して、災害に関する情報（災害情報、最適避難場所、最適避難経路）を送信することができる。
【００８７】
次に、災害情報報知システム１０において、避難が必要な災害が発生した時に店舗内の画像形成装置で行われる処理について図８を参照して説明を行う。
【００８８】
図８は、避難が必要な災害が発生した時に店舗（代表して店舗Ｅ８００で説明する）内の画像形成装置８０３がサーバ２００から災害情報を受信した場合に行われる処理について示したフローチャートである。
【００８９】
画像形成装置８０３は、サーバ２００から送られてくる災害に関する情報（災害情報、最適避難場所、最適避難経路）を情報端末８０１より受信すると（ステップ８０１）、画像形成装置８０３に備えられた報知ランプを点灯させる（ステップ８０２）。
【００９０】
そして、サーバ２００から課金システム８０２を解除する命令がある場合には（ステップ８０３でＹＥＳ）、課金システム８０２の解除が行われ、サーバ２００より送られてきた災害に関する情報（災害情報、最適避難場所、最適避難経路）をプリントして排紙し続ける（ステップ８０４）。
【００９１】
また、サーバ２００から課金システム８０２を解除する命令がない場合には（ステップ８０３でＮＯ）、画像形成装置８０３のディスプレイに災害情報出力ボタンと避難経路等出力ボタンとが通常行われる複写機能を表す表示ボタンに影響を与えないように追加表示される（ステップ８０５）。
【００９２】
そして、災害情報出力ボタン或いは避難経路等出力ボタンの押下が行われると（ステップ８０６でＹＥＳ）、災害情報出力ボタンの押下が行われた場合には課金システム８０２が解除されて災害情報をプリントして排紙し、避難経路等出力ボタンの押下が行われた場合には課金システム８０２が解除されて災害情報とその店舗からの最適な避難場所と最適な避難経路とがプリントされて排紙される。
【００９３】
このように、画像形成装置８０３がある店舗Ｅ８００の場所が強制出力地域に設定された場合には、避難が必要な災害が発生した時にサーバ２００より受信した災害に関する情報（災害情報、最適避難場所、最適避難経路）をプリントして排紙し続けることが行われ、画像形成装置８０３がある店舗Ｅ８００の場所が選択出力地域に設定された場合には、店舗Ｅ８００内の人の選択によって災害情報や災害に関する情報（災害情報、最適避難場所、最適避難経路）がプリントされたりされなかったりし、画像形成装置８０３がある店舗Ｅ８００の場所が無関係地域に設定された場合には、サーバ２００から情報を受信せずに、通常の課金システム８０２による複写等の動作が行われる。
【００９４】
だから、災害情報報知システム１０のサーバ２００および画像形成装置８０３によって、避難が必要な災害が発生した時に、コンビニエンスストア等の店舗内の画像形成装置８０３から発生した災害の内容に応じた最適避難場所、最適避難経路ならびに災害情報とを出力することができ、人々に的確な情報を与えて被害の拡大を抑えることができる。
【００９５】
なお、避難が必要な災害が発生した時にサーバ２００より設定された強制出力地域に位置する店舗（代表して店舗Ａ４００で説明する）において、課金システム４０２を解除する命令と災害に関する情報とが送信された場合には課金システム４０２を解除して災害に関する情報を強制的にプリントして排紙するように説明したが、そうではなくて、強制出力地域に設定されて、サーバ２００より課金システムを解除する命令と災害に関する情報とが送信された場合に、選択出力地域での反応と同様に、ディスプレイ上に災害に関する情報の出力ボタンを表示させて、ユーザの選択により災害情報をプリントさせるようにする設定を、店舗Ａ４００の画像形成装置４０３でできるようにしてもよい。
【００９６】
なお、避難が必要な災害が発生した時にサーバ２００より設定された選択出力地域に位置する店舗（代表して店舗Ｃ６００で説明する）において、災害に関する情報が送信された場合にユーザから選択されて選択された災害情報をプリント出力するように説明したが、そうではなくて、選択出力地域に設定されてサーバ２００より災害に関する情報が送信された場合に、強制出力地域での反応と同様に通常の課金システム６０２を解除して災害に関する情報を強制的にプリントし排紙し続けることができるようにする設定を店舗Ｃ６００の画像形成装置６０３でできるようにしてもよい。
【００９７】
なお、サーバ２００は、災害情報認識機関１００より受信した災害情報に基づいて、当該災害が避難が不必要な災害であれば情報を送信しないように説明したが、当該災害が避難が不必要な災害であっても、受信した災害情報を各店舗に送信して、各店舗では、ユーザの選択により災害情報を店舗内の画像形成装置からプリントさせることができるようにすることもできる。
【００９８】
このように、避難が不必要な災害の災害情報が送信された場合には、店舗内の画像形成装置６０３は、報知ランプ６０４を点灯させて、ディスプレイ６０５上に災害情報出力ボタン６０７だけを表示させるようにして（図３を参照して説明した場合、避難経路等出力ボタン６０８は表示されない。）、ユーザから該災害情報出力ボタン６０７が押下されたら、受信した避難が不必要な災害情報をプリントする。
【産業上の利用可能性】
【００９９】
この発明は、サーバとネットワーク接続されているコンビニエンスストア等の公共性の高い場所に存在する画像形成装置において利用可能である。
【０１００】
この発明によれば、避難が必要な災害が発生した時にコンビニエンスストア等の店舗がある場所からの最適な避難場所と最適な避難経路等の災害に関する情報を、店舗内の画像形成装置から課金システムを解除させて出力させることができる。
【図面の簡単な説明】
【０１０１】
【図１】災害情報報知システム１０のシステム構成図。
【図２】災害発生場所と強制出力地域、選択出力地域、無関係地域との位置関係を示す地図。
【図３】画像形成装置６０３の模式図。
【図４】強制出力地域内の画像形成装置４０３から出力されるプリント内容を示す模式図。
【図５】最適な避難経路が出力されたプリント内容を示した模式図。
【図６】選択出力地域の画像形成装置６０３から出力される災害情報のプリント内容を示す模式図。
【図７】サーバ２００で行われる処理について示したフローチャート。
【図８】災害情報を受信した場合に画像形成装置８０３で行われる処理について示したフローチャート。
【符号の説明】
【０１０２】
１０    災害情報報知システム
１００    災害情報認識機関
２００    サーバ
２０１    制御部
２０２    データベース
２０３    災害情報受信部
２０４    災害情報送信部
２１０    強制出力地域
２２０    選択出力地域
２３０    無関係地域
３００    店舗ネットワーク
４００    店舗Ｃ
４０１、５０１、６０１、７０１、８０１    情報端末
４０２、５０２、６０２、７０２、８０２    課金システム
４０３、５０３、６０３、７０３、８０３    画像形成装置
５００    店舗Ｂ
５１０    避難場所Ｙ
５１１    災害発生場所
５１２    避難場所Ｚ
６００    店舗Ｃ
７００    店舗Ｄ
８００    店舗Ｅ
【図１】
2007220006.tif 000003
【図２】
2007220006.tif 000004
【図３】
2007220006.tif 000005
【図４】
2007220006.tif 000006
【図５】
2007220006.tif 000007
【図６】
2007220006.tif 000008
【図７】
2007220006.tif 000009
【図８】
2007220006.tif 000010